(57)【要約】遷移パイロット記号に基づくタイミング同期のための方法と装置。１つの局面では、ＯＦＤＭシステムにおける時間追跡同期のための方法が提供される。この方法はデータ伝送のために使用されたＦＦＴの持続時間まで延ばす長さを有するチャネル推定値を供給するように構成される複数の変調されたサブキャリアを具備する少なくとも１つのＴＤＭパイロット記号を受信することを含む。この方法はまた複数の変調されたサブキャリアから瞬時および平均チャネル推定値の１つまたは両方を決定すること、およびこのチャネル推定値の１つまたは両方に基づいてタイミングオフセットを計算することを含む。装置は少なくとも１つのＴＤＭパイロット記号を受信するように構成された受信器、瞬時および平均チャネル推定値を決定するように構成されたチャネル推定器、およびこのチャネル推定値に基づいてタイミングオフセットを計算するように構成された時間同期装置を含む。
2010516117.tif 000002
【特許請求の範囲】
【請求項１】
直交周波数分割多重化（ＯＦＤＭ）システムにおける時間追跡同期のための方法、該方法は下記を具備する：
データ伝送のために使用されたＦＦＴの持続時間まで延ばす長さを有するチャネル推定値を供給するように構成される複数の変調されたサブキャリアを具備する少なくとも１つの時分割多重化された（ＴＤＭ）パイロット記号を受信する；
該複数の変調されたサブキャリアから瞬時チャネル推定値を決定する；および
該瞬時チャネル推定値に基づいてタイミングオフセットを計算する。
【請求項２】
ここにおいて前記受信することが該少なくとも１つのＴＤＭパイロット記号をデータ区画の境界で受信することを具備する、請求項１記載の方法。
【請求項３】
ここにおいて前記受信することが該少なくとも１つのＴＤＭパイロット記号を受信することを具備する、ここにおいて該少なくとも１つのＴＤＭパイロット記号が１つまたはそれ以上のワイドエリア遷移パイロット記号（ＷＴＰＳ）および１つまたはそれ以上のローカルエリア遷移パイロット記号（ＬＴＰＳ）の少なくとも１つを具備する、請求項１記載の方法。
【請求項４】
ここにおいて前記計算することが該瞬時チャネル推定値から瞬時最初の到着パス（ＦＡＰinst）および瞬時最後の到着パス（ＬＡＰinst）を計算することを具備する、請求項１記載の方法。
【請求項５】
ここにおいて前記決定することが平均チャネル推定値を維持することを具備する、請求項４記載の方法。
【請求項６】
ここにおいて前記計算することが該平均チャネル推定値から平均最初の到着パス（ＦＡＰavg）および平均最後の到着パス（ＬＡＰavg）を計算することを具備する、請求項５記載の方法。
【請求項７】
ここにおいて前記計算することが該ＦＡＰinst，ＬＡＰinst，ＦＡＰavg，およびＬＡＰavgの少なくとも１つに基づいて該タイミングオフセットを計算することを具備する、請求項６記載の方法。
【請求項８】
ここにおいて前記計算することが［ＦＡＰ＝ｍｉｎ（ＦＡＰinst，ＦＡＰavg）］および［ＬＡＰ＝ｍａｘ（ＬＡＰinst，ＬＡＰavg）］に従ってＦＡＰおよびＬＡＰを計算することを具備する、請求項７記載の方法。
【請求項９】
ここにおいて前記計算することが（Ｄmid＝（ＦＡＰ＋ＬＡＰ）／２）に従ってＤmidパラメータを計算することを具備する、請求項８記載の方法。
【請求項１０】
ここにおいて前記計算することが（ｏｆｆｓｅｔ＝Ｄmid−Ｄｍｉｄ）に従って望ましいＤｍｉｄに基づいて該タイミングオフセットを計算することを具備する、請求項９記載の方法。
【請求項１１】
ここにおいて前記計算することが（ｏｆｆｓｅｔ＝ＦＡＰ−Ｂａｃｋｏｆｆ）に従ってＢａｃｋｏｆｆパラメータに基づいて該タイミングオフセットを計算することを具備する、請求項９記載の方法。
【請求項１２】
直交周波数分割多重化（ＯＦＤＭ）システムにおける時間追跡同期のための装置、該装置は下記を具備する：
データ伝送のために使用されたＦＦＴの持続時間まで延ばす長さを有するチャネル推定値を供給するように構成される複数の変調されたサブキャリアを具備する少なくとも１つの時分割多重化された（ＴＤＭ）パイロット記号を受信するように構成された受信器；
該複数の変調されたサブキャリアから瞬時チャネル推定値を決定するように構成されたチャネル推定器；および
該瞬時チャネル推定値に基づいてタイミングオフセットを計算するように構成された時間同期装置。
【請求項１３】
ここにおいて前記受信器が該少なくとも１つのＴＤＭパイロット記号をデータ区画の境界で受信するように構成される、請求項１２記載の装置。
【請求項１４】
ここにおいて該少なくとも１つのＴＤＭパイロット記号が１つまたはそれ以上のワイドエリア遷移パイロット記号（ＷＴＰＳ）および１つまたはそれ以上のローカルエリア遷移パイロット記号（ＬＴＰＳ）の少なくとも１つを具備する、請求項１２記載の装置。
【請求項１５】
ここにおいて前記時間同期装置が該瞬時チャネル推定値から瞬時最初の到着パス（ＦＡＰinst）および瞬時最後の到着パス（ＬＡＰinst）を計算するように構成される、請求項１２記載の装置。
【請求項１６】
ここにおいて前記チャネル推定器が平均チャネル推定値を維持するように構成される、請求項１５記載の装置。
【請求項１７】
ここにおいて前記時間同期装置が該平均チャネル推定値から平均最初の到着パス（ＦＡＰavg）および平均最後の到着パス（ＬＡＰavg）を計算するように構成される、請求項１６記載の装置。
【請求項１８】
ここにおいて前記時間同期装置が該ＦＡＰinst，ＬＡＰinst，ＦＡＰavg，およびＬＡＰavgの少なくとも１つに基づいて該タイミングオフセットを計算するように構成される、請求項１７記載の装置。
【請求項１９】
ここにおいて前記時間同期装置が［ＦＡＰ＝ｍｉｎ（ＦＡＰinst，ＦＡＰavg）］および［ＬＡＰ＝ｍａｘ（ＬＡＰinst，ＬＡＰavg）］に従ってＦＡＰおよびＬＡＰを計算するように構成される、請求項１８記載の装置。
【請求項２０】
ここにおいて前記時間同期装置が（Ｄmid＝（ＦＡＰ＋ＬＡＰ）／２）に従ってＤmidパラメータを計算するように構成される、請求項１９記載の装置。
【請求項２１】
ここにおいて前記時間同期装置が（ｏｆｆｓｅｔ＝Ｄmid−Ｄｍｉｄ）に従って望ましいＤｍｉｄに基づいて該タイミングオフセットを計算するように構成される、請求項２０記載の装置。
【請求項２２】
ここにおいて前記時間同期装置が（ｏｆｆｓｅｔ＝ＦＡＰ−Ｂａｃｋｏｆｆ）に従ってＢａｃｋｏｆｆパラメータに基づいて該タイミングオフセットを計算するように構成される、請求項２０記載の装置。
【請求項２３】
直交周波数分割多重化（ＯＦＤＭ）システムにおける時間追跡同期のための装置、該装置は下記を具備する：
データ伝送のために使用されたＦＦＴの持続時間まで延ばす長さを有するチャネル推定値を供給するように構成される複数の変調されたサブキャリアを具備する少なくとも１つの時分割多重化された（ＴＤＭ）パイロット記号を受信するための手段；
該複数の変調されたサブキャリアから瞬時チャネル推定値を決定するための手段；および
該瞬時チャネル推定値に基づいてタイミングオフセットを計算するための手段。
【請求項２４】
ここにおいて前記受信するための手段が該少なくとも１つのＴＤＭパイロット記号をデータ区画の境界で受信するための手段を具備する、請求項２３記載の装置。
【請求項２５】
ここにおいて前記受信するための手段が該少なくとも１つのＴＤＭパイロット記号を受信するための手段を具備する、ここにおいて該少なくとも１つのＴＤＭパイロット記号が１つまたはそれ以上のワイドエリア遷移パイロット記号（ＷＴＰＳ）および１つまたはそれ以上のローカルエリア遷移パイロット記号（ＬＴＰＳ）の少なくとも１つを具備する、請求項２３記載の装置。
【請求項２６】
ここにおいて前記計算するための手段が該瞬時チャネル推定値から瞬時最初の到着パス（ＦＡＰinst）および瞬時最後の到着パス（ＬＡＰinst）を計算するための手段を具備する、請求項２３記載の装置。
【請求項２７】
ここにおいて前記決定するための手段が平均チャネル推定値を維持するための手段を具備する、請求項２６記載の装置。
【請求項２８】
ここにおいて前記計算するための手段が該平均チャネル推定値から平均最初の到着パス（ＦＡＰavg）および平均最後の到着パス（ＬＡＰavg）を計算するための手段を具備する、請求項２７記載の装置。
【請求項２９】
ここにおいて前記計算するための手段が該ＦＡＰinst，ＬＡＰinst，ＦＡＰavg，およびＬＡＰavgの少なくとも１つに基づいて該タイミングオフセットを計算するための手段を具備する、請求項２８記載の装置。
【請求項３０】
ここにおいて前記計算するための手段が［ＦＡＰ＝ｍｉｎ（ＦＡＰinst，ＦＡＰavg）］および［ＬＡＰ＝ｍａｘ（ＬＡＰinst，ＬＡＰavg）］に従ってＦＡＰおよびＬＡＰを計算するための手段を具備する、請求項２９記載の装置。
【請求項３１】
ここにおいて前記計算するための手段が（Ｄmid＝（ＦＡＰ＋ＬＡＰ）／２）に従ってＤmidパラメータを計算するための手段を具備する、請求項３０記載の装置。
【請求項３２】
ここにおいて前記計算するための手段が（ｏｆｆｓｅｔ＝Ｄmid−Ｄｍｉｄ）に従って望ましいＤｍｉｄに基づいて該タイミングオフセットを計算するための手段を具備する、請求項３１記載の装置。
【請求項３３】
ここにおいて前記計算するための手段が（ｏｆｆｓｅｔ＝ＦＡＰ−Ｂａｃｋｏｆｆ）に従ってＢａｃｋｏｆｆパラメータに基づいて該タイミングオフセットを計算するための手段を具備する、請求項３１記載の装置。
【請求項３４】
下記を具備する、直交周波数分割多重化（ＯＦＤＭ）システムにおける時間追跡同期のためのコンピュータプログラム製品：
下記を具備するコンピュータ可読媒体：
コンピュータにデータ伝送のために使用されたＦＦＴの持続時間まで延ばす長さを有するチャネル推定値を供給するように構成される複数の変調されたサブキャリアを具備する少なくとも１つの時分割多重化された（ＴＤＭ）パイロット記号を受信させるための第１セットの符号；
該コンピュータに該複数の変調されたサブキャリアから瞬時チャネル推定値を決定させるための第２セットの符号；
および
該コンピュータに該瞬時チャネル推定値に基づいてタイミングオフセットを計算させるための第３セットの符号。
【請求項３５】
ここにおいて前記第１セットの符号が該コンピュータに該少なくとも１つのＴＤＭパイロット記号をデータ区画の境界で受信させるように構成される、請求項３４記載のコンピュータ可読媒体。
【請求項３６】
ここにおいて前記第１セットの符号が該コンピュータに該少なくとも１つのＴＤＭパイロット記号を受信させるように構成される、ここにおいて該少なくとも１つのＴＤＭパイロット記号が１つまたはそれ以上のワイドエリア遷移パイロット記号（ＷＴＰＳ）および１つまたはそれ以上のローカルエリア遷移パイロット記号（ＬＴＰＳ）の少なくとも１つを具備する、請求項３４記載のコンピュータ可読媒体。
【請求項３７】
ここにおいて前記第３セットの符号が該コンピュータに該瞬時チャネル推定値から瞬時最初の到着パス（ＦＡＰinst）および瞬時最後の到着パス（ＬＡＰinst）を計算させるように構成される、請求項３４記載のコンピュータ可読媒体。
【請求項３８】
ここにおいて前記第２セットの符号が該コンピュータに平均チャネル推定値を維持させるように構成される、請求項３７記載のコンピュータ可読媒体。
【請求項３９】
ここにおいて前記第３セットの符号が該コンピュータに該平均チャネル推定値から平均最初の到着パス（ＦＡＰavg）および平均最後の到着パス（ＬＡＰavg）を計算させるように構成される、請求項３８記載のコンピュータ可読媒体。
【請求項４０】
ここにおいて前記第３セットの符号が該コンピュータに該ＦＡＰinst，ＬＡＰinst，ＦＡＰavg，およびＬＡＰavgの少なくとも１つに基づいて該タイミングオフセットを計算させるように構成される、請求項３９記載のコンピュータ可読媒体。
【請求項４１】
ここにおいて前記第３セットの符号が該コンピュータに［ＦＡＰ＝ｍｉｎ（ＦＡＰinst，ＦＡＰavg）］および［ＬＡＰ＝ｍａｘ（ＬＡＰinst，ＬＡＰavg）］に従ってＦＡＰおよびＬＡＰを計算させるように構成される、請求項４０記載のコンピュータ可読媒体。
【請求項４２】
ここにおいて前記第３セットの符号が該コンピュータに（Ｄmid＝（ＦＡＰ＋ＬＡＰ）／２）に従ってＤmidパラメータを計算させるように構成される、請求項４１記載のコンピュータ可読媒体。
【請求項４３】
ここにおいて前記第３セットの符号が該コンピュータに（ｏｆｆｓｅｔ＝Ｄmid−Ｄｍｉｄ）に従って望ましいＤｍｉｄパラメータに基づいて該タイミングオフセットを計算させるように構成される、請求項４２記載コンピュータ可読媒体。
【請求項４４】
ここにおいて前記第３セットの符号が該コンピュータに（ｏｆｆｓｅｔ＝ＦＡＰ−Ｂａｃｋｏｆｆ）に従ってＢａｃｋｏｆｆパラメータに基づいて該タイミングオフセットを計算させるように構成される、請求項４１記載のコンピュータ可読媒体。
【請求項４５】
直交周波数分割多重化（ＯＦＤＭ）システムにおける時間追跡同期のための方法を実行するように構成された少なくとも１つのプロセッサ、該少なくとも１つのプロセッサは下記を具備する：
データ伝送のために使用されたＦＦＴの持続時間まで延ばす長さを有するチャネル推定値を供給するように構成される複数の変調されたサブキャリアを具備する少なくとも１つの時分割多重化された（ＴＤＭ）パイロット記号を受信するための第１のモジュール；
該複数の変調されたサブキャリアから瞬時チャネル推定値を決定するための第２のモジュール；および
該瞬時チャネル推定値に基づいてタイミングオフセットを計算するための第３のモジュール。
【請求項４６】
ここにおいて前記第１のモジュールが該少なくとも１つのＴＤＭパイロット記号をデータ区画の境界で受信するように構成される、請求項１記載の少なくとも１つのプロセッサ。
【請求項４７】
ここにおいて前記第１のモジュールが該少なくとも１つのＴＤＭパイロット記号を受信するように構成される、ここにおいて該少なくとも１つのＴＤＭパイロット記号が１つまたはそれ以上のワイドエリア遷移パイロット記号（ＷＴＰＳ）および１つまたはそれ以上のローカルエリア遷移パイロット記号（ＬＴＰＳ）の少なくとも１つを具備する、請求項１記載の少なくとも１つのプロセッサ。
【請求項４８】
ここにおいて前記第３のモジュールが該瞬時チャネル推定値から瞬時最初の到着パス（ＦＡＰinst）および瞬時最後の到着パス（ＬＡＰinst）を計算するように構成される、請求項１記載の少なくとも１つのプロセッサ。
【請求項４９】
ここにおいて前記第２のモジュールが平均チャネル推定値を維持するように構成される、請求項４記載の少なくとも１つのプロセッサ。
【請求項５０】
ここにおいて前記第３のモジュールが該平均チャネル推定値から平均最初の到着パス（ＦＡＰavg）および平均最後の到着パス（ＬＡＰavg）を計算するように構成される、請求項５記載の少なくとも１つのプロセッサ。
【請求項５１】
ここにおいて前記第３のモジュールが該ＦＡＰinst，ＬＡＰinst，ＦＡＰavg，およびＬＡＰavgの少なくとも１つに基づいて該タイミングオフセットを計算するように構成される、請求項６記載の少なくとも１つのプロセッサ。
【請求項５２】
ここにおいて前記第３のモジュールが［ＦＡＰ＝ｍｉｎ（ＦＡＰinst，ＦＡＰavg）］および［ＬＡＰ＝ｍａｘ（ＬＡＰinst，ＬＡＰavg）］に従ってＦＡＰおよびＬＡＰを計算するように構成される、請求項７記載の少なくとも１つのプロセッサ。
【請求項５３】
ここにおいて前記第３のモジュールが（Ｄmid＝（ＦＡＰ＋ＬＡＰ）／２）に従ってＤmidパラメータを計算するように構成される、請求項８記載の少なくとも１つのプロセッサ。
【請求項５４】
ここにおいて前記第３のモジュールが（ｏｆｆｓｅｔ＝Ｄmid−Ｄｍｉｄ）に従って望ましいＤｍｉｄに基づいて該タイミングオフセットを計算するように構成される、請求項９記載の少なくとも１つのプロセッサ。
【請求項５５】
ここにおいて前記第３のモジュールが（ｏｆｆｓｅｔ＝ＦＡＰ−Ｂａｃｋｏｆｆ）に従ってＢａｃｋｏｆｆパラメータに基づいて該タイミングオフセットを計算するように構成される、請求項９記載の少なくとも１つのプロセッサ。
【発明の詳細な説明】
【技術分野】
【０００１】
［35 U.S.C.119における優先権の主張］
本特許出願は２００７年１月５日提出の、そしてこれに関して譲受人に譲渡され、そして引用によってこの中に完全に組み込まれた、仮出願番号第６０／８８３，７０３号、タイトル“通信網内のチャネル評価のための方法と装置（ＭＥＴＨＯＤＳ  ＡＮＤ  ＡＰＰＡＲＡＴＵＳ  ＦＯＲ  ＣＨＡＮＮＥＬ  ＥＳＴＩＭＡＴＩＯＮ  ＩＮ  Ａ  ＣＯＭＭＵＮＩＣＡＴＩＯＮ  ＮＥＴＷＯＲＫ）”への優先権を主張する。
【背景技術】
【０００２】
［分野］
本出願は一般に分配網上での情報の伝送に関し、そしてより詳しくは、遷移パイロット記号に基づく通信網におけるタイミング同期のための方法と装置に関する。
【０００３】
［背景］
無線通信網のような、データ網は単一の端末のためにカスタマイズされたサービスと多数の端末に提供されたサービスとの間をトレードオフせねばならない。例えば、携帯型装置（加入者）に限定された多数の資源へのマルチメディア内容の分配は複雑な問題である。従って、高速の且つ効率的な手法で、そして帯域幅の利用および電力効率を増加させるそのような方法で内容および／または他のネットワークサービスを分配するための方法を持つことはネットワーク管理者、内容小売業者、およびサービスプロバイダにとって非常に重要である。
【０００４】
現在の内容伝送／メディア分配システムでは、ワイドエリアおよびローカルエリア実時間および非実時間サービスは１伝送フレーム内に詰め込まれて、ネットワーク上の装置に伝送される。例えば、通信網はネットワークサーバと１つまたはそれ以上の移動体装置との間で通信を提供するために直交周波数分割多重化（ＯＦＤＭ）を使用できる。この技術は送信波形として分配網上で伝送されるべきサービスと一緒に詰め込まれる伝送フレームを供給する。
【０００５】
ＯＦＤＭベースの放送システムに関連する１つの問題は時間追跡同期（time tracking synchronization）に関することである。例えば、そのようなシステムにおけるタイミング同期は時間域チャネル推定値（time-domain channel estimate）に基づいている。典型的に、データ復調のために使用されたチャネル推定値の長さは最大予測遅延分散の２倍より短い。時間追跡同期についてそのようなチャネル推定値を使用することは時間域チャネル推定値の別名の性質のためタイミングのあいまい性という結果になるかもしれない。結果として、伝送されたサービスは受信装置で正確に復号されることができない。
【０００６】
従ってより確実で、タイミングのあいまい性をより少なくする傾向がある正確な時間追跡同期を提供するように動作するシステムを持つことは望ましいであろう。
【発明の概要】
【０００７】
［概要］
１つまたはそれ以上の局面では、通信網内で正確な時間追跡同期を可能とするように動作する、方法および装置を具備する、タイミング同期システムが提供される。
【０００８】
１つの局面では、ＯＦＤＭシステムにおける時間追跡同期のための方法が提供される。この方法はデータ伝送のために使用された高速フーリエ変換（ＦＦＴ;Fast Fourier Transform）の持続時間まで延ばす長さを有するチャネル推定値を供給するように構成される複数の変調されたサブキャリアを具備する少なくとも１つの時分割多重化された（ＴＤＭ）パイロット記号を受信することを具備する。この方法はまた複数の変調されたサブキャリアから瞬時チャネル推定値（instantaneous channel estimate）を決定すること、およびこの瞬時チャネル推定値に基づいてタイミングオフセットを計算すること具備する。
【０００９】
もう１つの局面では、ＯＦＤＭシステムにおける時間追跡同期のための装置が提供される。この装置はデータ伝送のために使用されたＦＦＴの持続時間まで延ばす長さを有するチャネル推定値を供給するように構成される複数の変調されたサブキャリアを具備する少なくとも１つのＴＤＭパイロット記号を受信するように構成された受信器を具備する。この装置はまた複数の変調されたサブキャリアから瞬時チャネル推定値を決定するように構成されたチャネル推定器、および瞬時チャネル推定値に基づいてタイミングオフセット(timing offset)を計算するように構成された時間同期装置を具備する。
【００１０】
もう１つの局面では、ＯＦＤＭシステムにおける時間追跡同期のための装置が提供される。この装置はデータ伝送のために使用されたＦＦＴの持続時間まで延ばす長さを有するチャネル推定値を供給するように構成される複数の変調されたサブキャリアを具備する少なくとも１つのＴＤＭパイロット記号を受信するための手段を具備する。この装置はまた複数の変調されたサブキャリアから瞬時チャネル推定値を決定するための手段、および瞬時チャネル推定値に基づいてタイミングオフセットを計算するための手段を具備する。
【００１１】
もう１つの局面では、ＯＦＤＭシステムにおける時間追跡同期のためのコンピュータプログラム製品が提供される。このコンピュータプログラム製品はコンピュータにデータ伝送のために使用されたＦＦＴの持続時間まで延ばす長さを有するチャネル推定値を供給するように構成される複数の変調されたサブキャリアを具備する少なくとも１つのＴＤＭパイロット記号を受信させるための第１セットの符号を具備するコンピュータ可読媒体を具備する。このコンピュータ可読媒体はまたコンピュータに複数の変調されたサブキャリアから瞬時チャネル推定値を決定させるための第２セットの符号、およびコンピュータに瞬時チャネル推定値に基づいてタイミングオフセットを計算させるための第３セットの符号を具備する。
【００１２】
もう１つの局面では、ＯＦＤＭシステムにおける時間追跡同期のための方法を実行するように構成される少なくとも１つのプロセッサが提供される。この少なくとも１つのプロセッサはデータ伝送のために使用されたＦＦＴの持続時間まで延ばす長さを有するチャネル推定値を供給するように構成される複数の変調されたサブキャリアを具備する少なくとも１つのＴＤＭパイロット記号を受信するための第１のモジュールを具備する。この少なくとも１つのプロセッサはまた複数の変調されたサブキャリアから瞬時チャネル推定値を決定するための第２のモジュール、および瞬時チャネル推定値に基づいてタイミングオフセットを計算するための第３のモジュールを具備する。
【００１３】
他の局面は以降述べられた図面の簡単な説明、明細書、およびクレームのレビューの後に明白になるであろう。
【００１４】
この中に記述された前述の局面は添付図面とともに採用した時に以下の明細書を参照することによってよりたやすく明白になるであろう。
【図面の簡単な説明】
【００１５】
【図１】内容分配システムの局面におけるワイドエリアおよびローカルエリアデータの分配を図示するネットワークを示す図。
【図２】タイミング同期システムの局面を図示するネットワークを示す図。
【図３】タイミング同期システムの局面における使用のための伝送スーパフレームを示す図。
【図４】タイミング同期システムの局面における使用のための伝送フレームにおける遷移パイロット記号の位置を示す図。
【図５】タイミング同期システムの局面における使用のための記号を示す図。
【図６】タイミング同期システムの局面における使用のための伝送フレーム論理を示す図。
【図７】タイミング同期システムの局面における使用のための遷移パイロット記号を発生するための方法を示す図。
【図８】タイミング同期システムの局面における使用のための受信論理を示す図。
【図９】タイミング同期システムの局面における使用のためのタイミングチャネル推定器および時間同期装置を示す図。
【図１０】タイミング同期システムの局面における使用のための時間同期装置の動作を示すグラフ。
【図１１】タイミング同期システムの局面における使用のために装置を動作させるための方法を示す図。
【図１２】タイミング同期システムの局面を示す図。
【発明を実施するための形態】
【００１６】
［説明］
１つまたはそれ以上の局面では、通信網におけるデータ復調を手伝うようにそして正確な時間追跡同期を提供するように動作するタイミング同期システムが提供される。この明細書の目的として、タイミング同期システムの諸局面はネットワークサーバと１つまたはそれ以上の移動体装置との間で通信を提供するためにＯＦＤＭを使用している通信網を参照してこの中に記述される。例えば、ＯＦＤＭシステムの１局面では、サーバは多重化されたワイドエリアを有する伝送フレームおよび特定の配列、シーケンス、インターリービング、および／または実時間および／または実時間データと異なる他の符号化を有するローカルデータフローを備える送信波形を送信する。このデータは各記号がＮサブキャリアを備える記号として示される。
【００１７】
下記されたように、タイミング同期システムは受信装置がワイドおよびローカルエリアデータフローを正確に復号できるようにデータ復調および正確な時間追跡同期を手伝うように動作可能である。このシステムは無線通信網における使用によく適するが、しかし、インターネットのような公衆網、仮想専用網（ＶＰＮ）のような私設網、ローカルエリア網、ワイドエリア網、長距離網あるいは、これには限定されないものを含む何か他タイプの無線網の環境内で使用されることができる。
【００１８】
［ワイドエリアおよびローカルエリアデータ分配］
図１は内容分配システムの１局面におけるワイドエリアおよびローカルエリアデータの分配を図示するネットワーク１００を示す。ネットワーク１００は第１のワイドエリア１０４および第２のワイドエリア１０６を具備する。例えば、第１および第２のワイドエリア（１０４，１０６）は同じか異なるサイズであり、そして１州、複数州、または１地方をカバーできる。ローカルエリア、例えばローカルエリア１０８，１１０、および１１２を含むワイドエリア（１０４，１０６）の各々はこのワイドエリア内に含まれ、そして各ローカルエリアは市、地方、または他の地域をカバーできる。
【００１９】
分配システムは、それぞれ、ワイドおよびローカルエリア上でワイドエリアおよびローカルエリアデータを伝送するように動作する。このシステムは同じワイドエリアデータを特定のワイドエリア内の全ローカルエリアに分配するように動作する。例えば、同じワイドエリアデータはローカルエリア１０８および１１０内の送信器によって伝送される。各ローカルエリア内の装置はそのローカルエリアに特定であるローカルエリアデータを受信する。例えば、ローカルエリア１０８の送信器はワイドエリア１０４に関連するワイドエリアデータ、およびローカルエリア１０８に関連するローカルエリアデータを伝送するように動作する。同様に、ローカルエリア１１０の送信器はワイドエリア１０４に関連するワイドエリアデータを、そしてローカルエリア１１０に関連するローカルエリアデータを伝送するように動作する。
【００２０】
１局面では、この分配システムは各ローカルエリアでそれぞれのローカルデータを、このローカルエリア内の装置に送信される伝送フレーム内でワイドエリアデータと結合するように動作する。この伝送フレームはワイドエリアデータが第１の区画内に配列され、そしてローカルエリアデータが第２の区画内に配列されるように区切られる；しかしながら、他の配置は可能である。
【００２１】
選択された装置にデータを伝送するために、ワイドエリアデータおよびローカルエリアデータはスクランブルされるかあるいは１つまたはそれ以上のキーを使用して暗号化される。したがって、特定のワイドまたはローカルエリアデータを受信することを望む装置は、それを用いてデータをデスクランブルするか解読するのに適切なキーを持つ必要がある。例えば、装置１０２はローカルエリア１０８，１１０および１１２内で動作している送信器からの伝送フレームを受信することができる。装置１０２によって使用された解読キーは装置１０２が再生することができるであろうデータはどれかを決定する。例えば、装置１０２がそのためのキーを持つ伝送は復号されることができ、一方装置１０２がそのためのキーを持たない伝送は干渉として働くであろう。典型的に、解読キーはネットワーク登録の間中装置に分配される。
【００２２】
装置１０２はワイドエリアキー１１６およびローカルエリアキー１１８を備える解読キー１１４を有する。この装置は選択されたワイドおよびローカルエリアデータを得るために受信された伝送フレームを解読するようにこれらのキーを使用する。キー１１４はワイドエリア１０４およびローカルエリア１１０に関連するデータを解読するように設計されることが想定されるであろう。例えば、装置１０２はローカルエリア１０８，１１０および１１２内の送信器からの伝送フレームを受信できる。ワイドエリアキー１１６はそれがローカルエリア１０８および１１０に関連する送信器から受信するワイドエリア１０４に関連するデータをこの装置に解読させる。しかしながら、ローカルエリアキー１１８はこの装置をローカルエリア１１０に関連する伝送だけからのデータを解読することに限定し、そして結果として、ローカルエリア１０８に関連する受信された伝送は干渉として働く。したがって、装置１０２に提供された解読キー１１４はこのシステムに、装置１０２が受信して復号できるのはどのワイドおよびローカルエリアデータかを制御させるように動作する。
【００２３】
［ネットワーク計画およびタイミングのあいまい性］
地理的な地域上でデータの分配を容易とするために、ネットワーク計画はこの地域上の送信器の分配を決定するように実行される。１局面では、送信器は受信装置が１つまたはそれ以上の送信器から伝送フレームの記号を受信できるようにこの地域内に配置される。そのうえ、送信器は記号が予測（または所定の）遅延分散（ＤＳ）内で受信されうるように配置される。
【００２４】
データ復調およびタイミング同期のために、受信装置はその上で記号が受信される伝送チャネルを記述するチャネル推定値（ＣＥ）を決定する。１局面では、チャネル推定値は伝送フレームの受信記号内の“パイロット観測値”から決定される。例えば、データ記号の一部のサブキャリアは周波数分割多重化（ＦＤＭ）パイロットを形成するために既知のパイロット情報で変調される。受信器では、これらのサブキャリアでのパイロット観測値はＣＥを決定するために使用される。ＣＥの長さはこの記号内の独特なパイロット観測値の数から決定される。しかしながら、データ記号内では、パイロットのために使用されたサブキャリア数は、この記号の残りのサブキャリアがデータ伝送のために使用されうるように比較的小さい。これはデータ記号から派生したチャネル推定値の長さを制限する。
【００２５】
タイミングのあいまい性はもしＣＥの長さが最大予測ＤＳの長さの２倍未満ならば発生するかもしれない。例えば、もしＣＥがＤＳに関して十分長くないならば、それは記号の出発点がいつ受信されるかに関してあいまいになるかもしれない。データ記号内でパイロットのために使用されたサブキャリア数は比較的小さいので、これらのパイロット観測値に基づくチャネル推定値の長さはそのようなタイミングのあいまい性が生じるように短くなるかもしれない。しかしながら、タイミング同期システムの諸局面は、タイミングのあいまい性が除去されうるように最大の予測ＤＳの２倍より大きい長さを有するチャネル推定値を提供するように動作する。
【００２６】
図１を再び参照して、装置１０２は１つまたはそれ以上のチャネル推定値を決定するように動作する。しかしながら、ワイドエリアデータに関連するチャネル推定値はローカルエリアデータに関連するチャネル推定値と比べて有意に異なるかもしれない。例えば、装置１０２はローカルエリア１１０から送信されたローカルエリアデータを暗号化するためにキーを有すると仮定して、このローカルエリアデータに関連するチャネル推定値はこれらの伝送から受信された記号からのみ決定される。しかしながら、ワイドエリアデータに関しては、ローカルエリア１０８および１１０に関連する送信器から受信された記号は同じであり、それでそれらはローカルエリアデータに関連するチャネル推定値とは異なかもしれないワイドエリアデータに関連するチャネル推定値を作り出すために結合されることができる。したがって、装置がワイドおよびローカルデータを受信して正確に復号するためには、装置１０２はワイドおよびローカルエリアデータについてチャネル推定値および対応するタイミング同期を決定する必要があるかもしれない。
【００２７】
図２はタイミング同期システムの１局面を図示するネットワーク２００を示す。例えば、ネットワーク２００は図１に示されたネットワーク１００の一部である。ネットワーク２００は図１に図示される移動体装置１０２、ローカルネットワーク１０８およびローカルネットワーク１１０を具備する。この明細書の目的上、ネットワーク１０８および１１０は１つまたはそれ以上のサーバとＯＦＤＭ技術を使用している１つまたはそれ以上の移動体装置との間で通信を提供するように動作することが想定されるであろう。例えば、ネットワーク１０８および１１０はおのおの近隣、地域社会、市または地方のようなローカルエリア内の装置にサービスを提供できる。
【００２８】
ネットワーク１０８および１１０がこの局面の範囲内の任意数およびタイプの携帯型装置と通信できることは注目されねばならない。例えば、タイミング同期システムの局面での使用に適する他の装置は、しかしこれに限定されないが、パーソナルディジタルアシスタント（ＰＤＡ）、ｅメール装置、ページャ、ノートブック型コンピュータ、ｍｐ３プレーヤ、ビデオプレーヤ、またはデスクトップ型コンピュータを含む。
【００２９】
１局面では、サーバ２０２はネットワーク１０８と通信している装置によって加入されうるサービスを提供するように動作する。例えば、サーバ２０２はネットワーク１０８に連結され、それはサーバ２０２およびネットワーク１０８と通信している装置の間で情報を伝送するための１つまたはそれ以上の送信器を具備する。例えば、送信器２０４はサーバ２０２から装置１０２に情報を送信するように動作する。
【００３０】
サーバ２０２はローカルエリアＡデータおよび実時間および非実時間サービスを含むワイドエリア１データを備える（かまたは獲得する）。例えば、このサービスはニュース、スポーツ、天気、経済情報、映画、および／またはアプリケーション、プログラム、スクリプト、または任意の他タイプの適当な内容またはサービスを含むマルチメディア内容を具備する。したがって、このサービスはビデオ、オーディオまたは任意の適当な書式にフォーマットされた他の情報を具備してもよい。
【００３１】
ワイドエリア１データおよびローカルエリアＡデータは伝送フレーム論理２０６に入力される。伝送フレーム論理２０６はデータおよびオーバヘッド情報を備える伝送フレームを生成するためにワイドおよびローカルエリアデータを処理する。例えば、伝送フレーム論理２０６は符号器、インターリーバ、スクランブラ、マッパ、および／または伝送フレームを生成するためにワイドおよびローカルエリアデータをフォーマットするように動作する任意の他タイプの処理論理を具備する。
【００３２】
１局面では、伝送フレームはワイドエリア１データが第１の区画内に配置され、そしてローカルエリアＡデータが第２の区画内に配置されるように適時に区切られる。したがって、１つまたはそれ以上の境界が伝送フレーム内のワイドエリアおよびローカルエリアデータの間に発生する。さらに、上述されたように、ワイドエリア１データおよびローカルエリアＡデータの両方はスクランブルされるか、あるいはこのデータを選択された装置に向けさせる、１つまたはそれ以上のキーを使用して暗号化される。
【００３３】
［遷移パイロット記号］
タイミング同期システムの局面では、遷移パイロット記号が発生されて、ワイドおよびローカルデータの間の境界で伝送フレームに挿入される。下で検討されるように、遷移パイロット記号は基本的に遷移境界の近くに計画されたワイドまたはローカルエリア内容のデータ復調の手伝いをするために挿入される。遷移パイロット記号はまたタイミング同期システムにタイミング同期を実行させるように構成される。
【００３４】
伝送フレーム論理２０６はＴＤＭパイロット記号を発生して、この発生された伝送フレームに挿入するように動作する遷移パイロット論理２０８を具備する。これらのＴＤＭパイロット記号は下文では遷移パイロット記号（ＴＰＳ）と呼ばれる。遷移パイロット論理２０８はこれらの記号がデータ復調およびタイミング同期の両方のために使用されることができるように遷移パイロット記号を構成する。１局面では、各ＴＰＳはいずれかのまたはすべてのサブキャリアがパイロットとして変調される複数の変調されたサブキャリアを具備する。
【００３５】
１局面では、遷移パイロット記号はこの遷移パイロット記号からのパイロット観測値がデータ復調のためのチャネル推定値を決定するために周囲のデータ記号内に含まれた周波数分割多重化（ＦＤＭ）パイロットからの観測値と結合されることができるように構成される。どんなふうに遷移パイロット記号がデータ復調のために使用されるかのより詳細な説明はこの文書のもう１つのセクションの中に提供される。
【００３６】
もう１つの局面では、遷移パイロット記号はこの遷移パイロット記号からのパイロット観測値が受信装置に予測ＤＳの２倍より長いチャネル推定値を決定させるように構成される。そのようなチャネル推定値はタイミングのあいまい性を除去し、そして時間追跡同期用のタイミングオフセットを決定するために使用される。１局面では、遷移パイロット記号はデータ伝送のために使用されたＦＦＴの持続時間まで延ばす長さを有するチャネル推定値を決定するために使用される。例えば、ＦＦＴ持続時間は１記号内のサブキャリア数によって定義される。したがって、Ｎサブキャリアを備える記号は時間領域内のＮデータポイントによって表現されるであろう。
【００３７】
１局面では、遷移パイロット論理２０８は遷移パイロット記号を伝送フレーム内のワイドおよびローカルエリア区画の境界で挿入するように動作する。例えば、１つまたはそれ以上のワイドエリア遷移パイロット記号（ＷＴＰＳ；wide area transitional pilot symbol）が発生され、それはワイドエリアデータのデータ復調を手伝うように、そしてタイミング同期を提供するように構成される。同様に、１つまたはそれ以上のローカルエリア遷移パイロット記号（ＬＴＰＳ；local area transitional pilot symbol）が発生され、それはローカルエリアデータのデータ復調を手伝うように、そしてタイミング同期を提供するように構成される。１局面では、ＷＴＰＳおよびＬＴＰＳはワイドおよびローカルエリア区画の境界で伝送フレーム内に配置される。
【００３８】
遷移パイロット論理２０８によって生成された伝送フレームはネットワーク１０８上で装置１０２に伝送される送信波形内で伝送フレームを変調するように動作する送信器論理２１０に入力される。例えば、送信波形は、パス２１２によって示されたように、送信器２０４によって装置１０２に伝送される。
【００３９】
この局面における装置１０２は無線リンク２１４によりネットワーク１０８と通信するように動作できる移動体電話機を備える。１局面では、無線リンク２１４はＯＦＤＭ技術に基づく順方向無線通信リンクおよび任意の適切な技術によって提供される逆方向リンクを備える。
【００４０】
装置１０２は受信器２１６で送信波形を受信する。受信器２１６は復号器２１８に入力されるベースバンド波形を得るために受信された波形を処理するように動作する。復号器２１８は伝送された内容を得るためにベースバンド波形を復号するように動作する。
【００４１】
１局面では、受信器２１６はデータ復調のためにチャネル推定値を決定するように動作する第１のチャネル推定器２２０を備える。伝送フレーム内のワイドエリアデータに関しては、受信されたＷＴＰＳから決定されたパイロット観測値は、ワイドエリアデータ復調のために使用されることができるチャネル推定値を生成するために１つまたはそれ以上のワイドエリアデータ記号からのＦＤＭパイロット観測値と結合される。例えば、１局面では、ＦＤＭパイロットはそれらが記号全域で効果的に結合されることができるように各データ記号内の異なるセットのサブキャリアを占有する。典型的に、３個から５個までの連続的なデータ記号のＦＤＭパイロット観測値は、データ復調のための単一のチャネル推定値を得るために結合される。１局面では、遷移パイロット記号は適切なセットのサブキャリアにあり、そして周囲のデータ記号からのＦＤＭパイロットと結合されるように適切なフォーマットであるＦＤＭパイロットを有するように構成される。したがって、第１のチャネル推定器２２０は遷移パイロット記号からのパイロット観測値を、データ復調用のチャネル推定値を得るための複数のデータ記号からのＦＤＭパイロット観測値と結合するように動作する。ＬＴＰＳは伝送フレーム内のローカルエリアデータのデータ復調を手伝うのと同様な様式において使用されることができる。どんなふうに第１のチャネル推定器２２０が遷移パイロット記号をＦＤＭパイロットと結合するように動作するかのより詳細な説明はこの文書のもう１つのセクションの中に提供される。
【００４２】
１局面では、受信論理２１６はタイミング同期のためのチャネル推定値を決定するように動作する第２のチャネル推定器２２２を具備する。１局面では、遷移パイロット記号はチャネル推定値を決定するためにチャネル推定器２２２によって使用されることができる多数のパイロット観測値を供給するように構成される。例えば、１局面では、遷移パイロット記号はサブキャリアのすべてがパイロット情報で変調されるように構成される。そのような記号からのパイロット観測値は最大予測ＤＳの２倍より長いチャネル推定値を生成するように処理され、それによってタイミングのあいまい性を除去している。１局面では、チャネル推定器２２２はまた瞬時に計算されたチャネル推定値で更新される平均チャネル推定値（averaged channel estimate）を維持するように動作する。
【００４３】
タイミング同期装置２２４は正確なタイミング同期を供給するために使用されるタイミングオフセットを決定するために瞬時チャネル推定値および平均チャネル推定値を処理するように動作する。１局面では、タイミング同期装置２２４は推定器２２２によって生成されたチャネル推定値から最初の到着パス（ＦＡＰ;first arriving path）および最後の到着パス（ＬＡＰ;last arriving path）を決定するように動作する。この情報は時間追跡同期用に使用されるタイミングオフセットを決定するために使用される。この推定器２２２によって生成されたチャネル推定値はタイミングのあいまい性を除去するに足りるだけ長いので、タイミング同期装置２２４はタイミング同期用の正確なタイミングオフセットを決定することができる。
【００４４】
したがって、タイミング同期システムの諸局面は受信装置に以下の機能を実行させる遷移パイロット記号を供給する。
【００４５】
１．    データ復調用に使用されるチャネル推定値を決定する。
【００４６】
２．    正確な時間追跡同期用に使用されるチャネル推定値を決定する。
【００４７】
タイミング同期システムが図２を参照して記述された実施の形態に限定されないこと、および他の実施の形態がこの諸局面の範囲内で可能であることは注目されねばならない。さらに、遷移パイロット記号を使用して得られたタイミング同期情報はタイミング同期用の他の方法を助けるために使用されることができる。
【００４８】
図３はタイミング同期システムにおける使用のための伝送スーパフレーム３００の１局面を示す。スーパフレーム３００はオーバヘッド情報３０４、およびフレーム３０２によって図示されたような４フレームを備える。このフレームの各々はワイドエリア区画３０６およびローカルエリア区画３０８を備える。ワイドエリア区画３０６は、３１０で示されたような、ワイドエリアデータを備える。ローカルエリア区画３０８は、３１２で示されたような、ローカルエリアデータを備える。オーバヘッド情報３０４は他の情報と同様に各フレーム内のワイドエリアデータ３１０およびローカルエリアデータ３１２の位置を識別するように動作する。境界線３１４はこのフレーム３０２内のワイドエリア区画３０６とローカルエリア区画３０８との間の境界を識別する。１局面では、システムはこの境界線の両サイドに遷移パイロット記号を挿入するように動作する。例えば、１つまたはそれ以上のＷＴＰＳはワイドエリア区画３０６内の境界線３１４で挿入され、そして１つまたはそれ以上のＬＴＰＳはローカルエリア区画３０８内の境界線３１４で挿入される。もう１つの局面では、システムは遷移パイロット記号をスーパフレーム３００内のワイドおよびローカルエリアデータの間のいずれかの境界で挿入するように動作し、それはまたオーバヘッド情報３０４内に境界を含んでもよい。１局面では、図２内に示された遷移パイロット論理２０８は遷移パイロット記号を発生して伝送スーパフレーム３００内に挿入するように動作する。
【００４９】
図４はタイミング同期システムの局面における使用のための伝送フレーム内の遷移パイロット記号の位置を図示する図４００を示す。図４００はワイドエリアデータ区画４０４およびローカルエリアデータ区画４０６の間に境界線４０２を示す。例えば、境界線４０２は図３に示された境界線３１４であってもよい。ワイドエリアデータ区画４０４は記号（Ｎ−３）乃至（Ｎ）を備え、そしてローカルエリアデータ区画４０６は記号（Ｎ＋１）乃至（Ｎ＋４）を備える。
【００５０】
［データ復調］
１局面では、システムはデータ復調のためにチャネル推定値を決定するように動作する。例えば、チャネル推定器２２０はデータ復調のために遷移パイロット記号を処理するように動作する。１局面では、伝送されたデータ記号はデータで変調された記号サブキャリアの一部およびＦＤＭパイロットとして構成された記号サブキャリアの一部を備える。データ復調の間中、選択された数の連続的なデータ記号からのパイロット観測値はチャネル推定値を決定するために結合される。例えば、（Ｎ−３，Ｎ−２，およびＮ−１で）３個の連続ワイドエリアデータ記号が４０８で図示され、そして（Ｎ＋２，Ｎ＋３，およびＮ＋４で）３個の連続ローカルエリアデータ記号が４１０で図示される。４０８でデータ記号からのパイロット観測値は（Ｎ−２で）データ記号を復号するために使用されるチャネル推定値を得るために結合される。あいにく、そのようなチャネル推定技術は（Ｎ−１で）最後のワイドエリアデータ記号を復号するためには使用できない。しかしながら、１局面では、タイミング同期システムは使用されるべきこのチャネル推定技術に（Ｎ−１で）データ記号を復号させるために（記号Ｎで）ＷＴＰＳを構成するように動作する。例えば、ＷＴＰＳ記号はワイドエリアデータ記号内のＦＤＭパイロットと結合されるべき適切なフォーマットのものである適切なセットのＦＤＭパイロットを有するように構成される。したがって、（Ｎで）ＷＴＰＳ記号からのパイロット観測値は（Ｎ−１で）データ記号を復号するためのチャネル推定値を決定するように（Ｎ−２，Ｎ−１で）ワイドエリアデータ記号からのパイロット観測値と結合されることができる。同様に、（記号Ｎ＋１で）ＬＴＰＳは（Ｎ＋２，Ｎ＋３で）ローカルエリアデータ記号内のＦＤＭパイロットと結合されるべき適切なフォーマットのものである適切なセットのＦＤＭパイロットを有するように構成される。結果として、（Ｎ＋１で）ＬＴＰＳからのパイロット観測値は（Ｎ＋２で）ローカルエリアデータ記号を復調するために使用されるチャネル推定値を決定するように（Ｎ＋２，Ｎ＋３で）ローカルエリアデータ記号からのパイロット観測値と結合されることができる。
【００５１】
１局面では、境界の各サイド上で使用された遷移パイロット記号数は“ｋ”によって定義される。もし結合されるべきパイロット観測値を供給しているデータ記号数がＭであれば、その時必要な遷移パイロット記号数（ｋ）は式（Ｍ＝２ｋ＋１）から決定されることができる。例えば、上記の例では、３個のデータ記号からのパイロット観測値が結合される。したがって、Ｍは３に等しい。結果として、境界の各サイド上で使用された遷移パイロット記号数（ｋ）は１である。
【００５２】
［タイミング同期］
１局面では、（Ｎ，Ｎ＋１で）ワイドおよびローカル遷移パイロット記号が時間追跡同期のためのチャネル推定値を決定するために使用される。例えば、タイミング同期システムはデータ復調用に供給されるパイロットのほかにパイロットを備えるべくＷＴＰＳおよびＬＴＰＳを構成するように動作する。例えば、データ記号では、サブキャリアの１／８のみがＦＤＭパイロットとして使用されることができるが、しかし遷移パイロット記号では、サブキャリアのすべてを含む任意の部分がパイロットとして使用されることができる。もしすべてのサブキャリアがパイロットとして使用されれば、その時受信装置では遷移パイロット記号からのパイロット観測値はデータ伝送のために使用されたＦＦＴの持続時間まで延ばす長さを有するチャネル推定値を決定するために使用されることができる。そのようなチャネル推定値はタイミングのあいまい性を除去し、そして正確な時間追跡同期を提供する。遷移パイロット記号の構成のより詳細な説明はこの文書のもう１つのセクション内で提供される。
【００５３】
図５はタイミング同期システムの局面における使用のための記号５００を図示する。記号５００は時間領域記号５０２、周波数領域データ記号５０４および周波数領域遷移パイロット記号５０６を具備する。
【００５４】
時間領域記号５０２は時間領域データ５０８および巡回プレフィックス５１０を具備する。タイミング同期システムの諸局面は、各記号内に含むデータが処理のために収集されることができるように記号境界を検出するために使用されるタイミングオフセットを正確に決定するように動作する。
【００５５】
周波数領域データ記号５０４はＮサブキャリアを具備し、ここにおいてこのサブキャリアのいくつかの小部分は、５１２で示されたように、パイロットとして構成され、そしてＦＤＭパイロットとしてデータ記号５０４の至る所に分配される。残りのサブキャリアは、５１４で図示されたように、データで変調される。図４を参照して記述されたように、３個の連続データ記号からのパイロット観測値はデータ復調のためのチャネル推定値を決定するために使用される。
【００５６】
周波数領域遷移パイロット記号５０６は、サブキャリアのいくつかまたは全部がパイロットとして構成されるＮサブキャリアを具備し、そしてこれらのパイロットのいくつかはデータ記号５０４内のＦＤＭパイロットとの結合を認めるように適切に配置され、そしてフォーマットされる。これは、図４を参照して記述されたように受信された遷移パイロット記号からのパイロット観測値が受信されたデータ記号からのパイロット観測値と結合されることを認めることによって、遷移パイロット記号５０６をデータ復調のために使用させる。
【００５７】
遷移パイロット記号５０６はすべてのパイロット（または多数のパイロット）を具備することができるので、すべてのパイロット観測値を使用している受信装置は予測最大遅延拡散の２倍より大きいチャネル推定値を決定することができる。タイミング同期システムの諸局面は正確な時間追跡同期を提供するために使用されるタイミングオフセットを決定するようにこのチャネル推定値を処理する。そのような長いチャネル推定値を生成することによって、信号検出に関連するタイミングのあいまい性は除去される。
【００５８】
１局面では、遷移パイロット記号５０６のサブキャリアのどれも、パイロットとして構成されるサブキャリア数が増加するようなパイロットであることができ、結果としてのチャネル推定値の長さはその中で装置が動作するＯＦＤＭネットワークに関連するＦＦＴの持続時間まで増加する。
【００５９】
図６はタイミング同期システムの局面における使用のための伝送フレーム論理６００を示す。例えば、伝送フレーム論理６００は図２内に示された伝送フレーム論理２０６として使用するのにふさわしい。伝送フレーム論理６００は、すべてがデータバス６１０に連結された処理論理６０２、遷移パイロット論理６０４、入力論理６０６、および出力論理６０８を具備する。
【００６０】
入力論理６０６はローカルおよびワイドエリアデータ６１２を受信するように動作する任意の適当なハードウェアおよび／またはソフトウェアを具備する。例えば、ローカルおよびワイドエリアデータ６１２はマルチメディア内容、サービス、またはネットワーク上での伝送用の伝送フレーム内に含まれるべき他のデータを具備する。入力論理６０６はローカルおよびワイドエリアデータをデータバス６１０上で使用可能にするように動作する。
【００６１】
遷移パイロット論理６０４はＣＰＵ、プロセッサ、ゲートアレイ、ハードウェア論理、バーチャルマシン、ソフトウェア、および／またはハードウェアとソフトウェアとの任意の組合せを具備する。遷移パイロット論理６０４は伝送フレーム内に含まれるべき遷移パイロット記号を発生するように動作する。各遷移パイロット記号はパイロットとして変調される選択された数のサブキャリアを具備する。
【００６２】
１局面では、遷移パイロット論理６０４はＷＴＰＳおよびＬＴＰＳの両方を発生するように動作する。ＷＴＰＳおよびＬＴＰＳはこれらの記号からのパイロット観測値がデータ復調および上述されたような時間追跡同期のための受信装置で使用されることができるように構成される。１局面では、ＷＴＰＳおよびＬＴＰＳは図５内に示された記号５０６に従って発生される。遷移パイロット論理６０４はデータバス６１０を使用して遷移パイロット記号を処理論理６０２に送る。
【００６３】
処理論理６０２はＣＰＵ、プロセッサ、ゲートアレイ、ハードウェア論理、バーチャルマシン、ソフトウェア、および／またはハードウェアとソフトウェアとの任意の組合せを具備する。処理論理６０２はワイドおよびローカルエリアデータおよび遷移パイロット記号を含む伝送フレームを発生するように動作する。例えば、処理論理６０２はワイドエリアおよびローカルエリアデータをこの伝送フレーム内の区画にフォーマットし、そして遷移パイロット記号をこの境界で挿入する。例えば、１局面では、処理論理６０２は図３内に示された伝送フレーム３００を発生するように動作する。
【００６４】
出力論理６０８はネットワーク上に伝送フレームを送信するように構成される送信器に処理論理６０２によって発生された伝送フレーム６１４を出力するように動作する任意の適当なハードウェアおよび／またはソフトウェアを具備する。
【００６５】
１局面では、タイミング同期システムはコンピュータ可読媒体上に蓄積された１つまたはそれ以上のプログラム命令（“ｉｎｓｔｒｕｃｔｉｏｎｓ”）あるいは符号のセット（“ｃｏｄｅｓ”）を有するコンピュータプログラムを備え、それは少なくとも１つのプロセッサ、例えば、処理論理６０２に配置されたプロセッサによって実行された時に、この中に記述されたタイミング同期システムの機能を提供するように動作する。例えば、ｃｏｄｅｓはフロッピー（登録商標）ディスク、ＣＤＲＯＭ、メモリカード、ＦＬＡＳＨメモリ装置、ＲＡＭ、ＲＯＭ、あるいはいずれか他のタイプのメモリ装置または処理論理６０２にインターフェイスするコンピュータ可読媒体のような、コンピュータ可読媒体から処理論理６０２内にロードされることができる。もう１つの局面では、ｃｏｄｅｓは外部装置またはネットワーク資源から処理論理６０２内にダウンロードされることができる。ｃｏｄｅｓは、実行された時にこの中に記述されたようなタイミング同期システムの諸局面を提供するように動作する。
【００６６】
したがって、伝送フレーム論理６００は遷移パイロット記号を発生してネットワーク上の分配のための伝送フレーム内に挿入するように動作する。伝送フレーム論理６００はまさに１つの実施の形態に過ぎず、そして他の実施の形態がこの諸局面の範囲内で可能であることは注目されねばならない。
【００６７】
図７はタイミング同期システムの局面における使用のための遷移パイロット記号を発生するための方法７００を示す。例えば、１局面では、方法７００は図６内に示された伝送フレーム論理６００によって実行される。
【００６８】
ブロック７０２で、ローカルおよびワイドエリアデータが得られる。例えば、１局面では、ローカルおよびワイドエリアデータは入力論理６０６で受信され、そしてデータバス６１０を使用して処理論理６０２に渡される。
【００６９】
ブロック７０４で、伝送フレームが発生される。例えば、１局面では、処理論理６０２はワイドおよびローカルエリア内容を示しているデータ記号を含む伝送フレームを発生するように動作する。例えば、処理論理６０２は図３に示された伝送スーパフレーム３００を発生し、それは境界によって分離されたワイドおよびローカルエリア区画をおのおの有する４個のフレームを具備する。
【００７０】
ブロック７０６で、遷移パイロット記号が発生される。１局面では、遷移パイロット論理６０４は伝送フレーム内への挿入用の１つまたはそれ以上のＷＴＰＳおよびＬＴＰＳを発生するように動作する。１局面では、各遷移パイロット記号はパイロットとして変調される選択された数のサブキャリアを具備する。１局面では、遷移パイロット記号は受信装置に上述されたようなデータ復調を実行させるように構成される。もう１つの局面では、遷移パイロット記号は受信装置に上述されたような時間追跡同期のために使用されるチャネル推定値を決定させるように構成される。例えば、遷移パイロット記号はデータ伝送のために使用されたＦＦＴの持続時間まで延ばす長さを有するチャネル推定値を生成するために使用されることができる多数のパイロット観測値を有するように構成される。この発生された遷移パイロット記号はその後処理論理６０２に渡される。
【００７１】
ブロック７０８で、遷移パイロット記号は伝送フレーム内に挿入される。例えば、１局面では、処理論理６０２は伝送フレーム内のワイドエリアデータとローカルエリアデータとの間の境界で１つまたはそれ以上の遷移パイロット記号を挿入するように動作する。例えば、ＷＴＰＳおよびＬＴＰＳは図４内に図示されたような境界４０２で挿入される。
【００７２】
ブロック７１０で、遷移パイロット記号を含む伝送フレームはネットワーク上での伝送用の送信器に出力される。例えば、出力論理６０８は処理論理６０２によって発生された遷移パイロット記号を含む伝送フレームを出力する。１局面では、この伝送フレームはネットワーク上に送信波形内の伝送フレームを送信するように動作する送信器論理に出力される。
【００７３】
したがって、方法７００はネットワーク上での伝送のための伝送フレーム内で遷移パイロット記号を発生して挿入するように動作する。遷移パイロット記号は受信装置にワイドおよびローカルエリアデータのデータ復調を実行させるようにパイロット観測値を供給する。遷移パイロット記号はまた受信装置に正確な時間追跡同期を実行させるために多数のパイロット観測値を供給する。例えば、遷移パイロット記号のサブキャリアのいずれかの部分または全部は受信装置がデータ伝送のために使用されたＦＦＴの持続時間まで延ばす長さを有するチャネル推定値を決定するためにこれらのパイロット観測値を使用することができるようにパイロットとして変調される。
【００７４】
方法７００はまさに１つの実施の形態を表すに過ぎず、そして方法７００の変更、追加、削除、結合または他の修正が諸局面の範囲内で可能であることは注目されねばならない。
【００７５】
図８はタイミング同期システムの局面における使用のための受信論理８００を示す。例えば、受信論理８００は図２内に示された受信器２１６としての使用に適している。受信論理８００はすべてがデータバス８１４に連結された処理論理８０２、時間同期装置８０４、タイミングチャネル推定器８０６、データチャネル推定器８０８、受信器８１０および出力論理８１２を具備する。
【００７６】
受信器８１０は送信波形を受信するように動作する任意の適当なハードウェアおよび／またはソフトウェアを具備する。例えば、受信器８１０はＣＰＵ、フィルタ、増幅器、Ａ／Ｄコンバータ、復号器、および／または送信波形を受信するための任意の他の適当なハードウェアおよび／またはソフトウェアを備える。１局面では、受信された送信波形は、図３内に図示されたようなオーバヘッド情報、ワイドエリアデータ、ローカルエリアデータ、および遷移パイロット記号を具備する。
【００７７】
データチャネル推定器８０８はＣＰＵ、プロセッサ、ゲートアレイ、ハードウェア論理、メモリ、バーチャルマシン、ソフトウェア、および／またはハードウェアとソフトウェアとの任意の組合せを具備する。データチャネル推定器８０８は伝送フレーム内に含まれるワイドおよびローカルエリアデータの復調のためのチャネル推定値を決定するように動作する。
【００７８】
１局面では、データチャネル推定器８０８はミドルデータ記号を復調するのに使用されるチャネル推定値を決定するために３連続のデータ記号からＦＤＭパイロット観測値を合成する。この処理はワイドおよびローカルエリアデータの両方について行われる。ワイドまたはローカル区画内の最初のまたは最後のデータ記号を復調するためのチャネル推定値を生成するために、タイミングチャネル推定器８０６は図４を参照して記述されたような隣接した遷移パイロット記号からのパイロット観測値を使用する。１局面では、遷移パイロット記号はデータ記号内のＦＤＭパイロットと同じ位置にパイロットを有する。したがって、データチャネル推定器８０８はデータ復調のためのチャネル推定値を生成するために受信された遷移パイロット記号からのパイロット観測値をデータ記号からのパイロット観測値と結合するように動作する。
【００７９】
タイミングチャネル推定器８０６はＣＰＵ、プロセッサ、ゲートアレイ、ハードウェア論理、メモリ、バーチャルマシン、ソフトウェア、および／またはハードウェアとソフトウェアとの任意の組合せを具備する。タイミングチャネル推定器８０６は伝送フレーム内に含まれるワイドおよびローカルエリアデータに関連する時間追跡同期のためのチャネル推定値を決定するように動作する。
【００８０】
１局面では、タイミングチャネル推定器８０６は遷移パイロット記号からのパイロット観測値に基づいてチャネル推定値を決定するように動作する。例えば、遷移パイロット記号はサブキャリアの全部またはいずれかの部分がパイロットである場合に受信される。タイミングチャネル推定器８０６はその後タイミングチャネル推定値を生成するためにパイロット観測値を処理する。タイミングチャネル推定値は処理されるパイロット観測値の数に基づく長さを有し、それでタイミングチャネル推定値の長さは装置が動作しているネットワーク内でデータ伝送のために使用されたＦＦＴの持続時間まで延ばす長さを有する。１局面では、タイミングチャネル推定器８０６は計算された瞬時チャネル推定値を組み込む平均チャネル推定値を維持するように動作する。
【００８１】
時間同期装置８０４はＣＰＵ、プロセッサ、ゲートアレイ、ハードウェア論理、バーチャルマシン、ソフトウェア、および／またはハードウェアとソフトウェアとの任意の組合せを具備する。時間同期装置８０４はタイミング同期用のタイミングオフセットを決定するためにタイミングチャネル推定器８０６によって生成されたタイミングチャネル推定値を処理するように動作する。タイミングアルゴリズムのより詳細な検討はこの文書のもう１つのセクション内で提供される。
【００８２】
処理論理８０２はＣＰＵ、プロセッサ、ゲートアレイ、ハードウェア論理、バーチャルマシン、ソフトウェア、および／またはハードウェアとソフトウェアとの任意の組合せを具備する。処理論理はデータチャネル推定器８０８、タイミングチャネル推定器８０６からタイミングチャネル推定情報を、そして時間同期装置８０４からタイミング同期情報を受信し、そして出力論理８１２を使用してこの情報をデータ復調器に出力するように動作する。１局面では、出力論理８１２はチャネル推定値およびタイミング同期情報を出力するように動作する任意の適当なハードウェアおよび／またはソフトウェアを具備する。
【００８３】
１局面では、タイミング同期システムはコンピュータ可読媒体上に蓄積された１つまたはそれ以上のプログラム命令（“ｉｎｓｔｒｕｃｔｉｏｎｓ”）あるいは符号のセット（“ｃｏｄｅｓ”）を有するコンピュータプログラムを備え、それは少なくとも１つのプロセッサ、例えば、処理論理８０２に配置されたプロセッサによって実行された時に、この中に記述されたタイミング同期システムの機能を提供するように動作する。例えば、ｃｏｄｅｓはフロッピーディスク、ＣＤＲＯＭ、メモリカード、ＦＬＡＳＨメモリ装置、ＲＡＭ、ＲＯＭ、あるいはいずれか他のタイプのメモリ装置または処理論理８０２にインターフェイスするコンピュータ可読媒体のような、コンピュータ可読媒体から処理論理８０２内にロードされることができる。もう１つの局面では、ｃｏｄｅｓは外部装置またはネットワーク資源から処理論理８０２内にダウンロードされることができる。ｃｏｄｅｓは、実行された時にこの中に記述されたようなタイミング同期システムの局面を提供するように動作する。
【００８４】
したがって、受信器８００は伝送フレームを受信し、そしてこの伝送フレームに含まれた遷移パイロット記号に基づいてデータ復調および時間追跡同期を実行するように動作する。受信器８００はまさに１つの実施の形態であるに過ぎないこと、そして他の実施の形態が諸局面の範囲内で可能であることは注目されねばならない。
【００８５】
図９はタイミング同期システムにおける使用のためのタイミングチャネル推定器８０６および時間同期装置８０４の局面を示す。タイミングチャネル推定器８０６はＦＦＴ論理９０２、セレクタ論理９０４、デスクランブラ論理９０６、および逆ＦＦＴ（ＩＦＦＴ）論理９０８を具備する。
【００８６】
ＦＦＴ論理９０２はＣＰＵ、プロセッサ、ゲートアレイ、ハードウェア論理、バーチャルマシン、ソフトウェア、および／またはハードウェアとソフトウェアとの任意の組合せを具備する。ＦＦＴ論理９０２は記号の（ＮFFT）時間領域入力サンプル９１０を受信するように動作して、周波数領域内で（ＮFFT）出力サンプルを生成するために任意の適当なＦＦＴアルゴリズムまたはテクニックを使用する。例えば、１局面では、入力サンプル９１０は遷移パイロット記号の時間領域サンプルを表し、そして出力サンプルは１セットの変調されたサブキャリアを表す。
【００８７】
セレクタ論理９０４はＣＰＵ、プロセッサ、ゲートアレイ、ハードウェア論理、バーチャルマシン、ソフトウェア、および／またはハードウェアとソフトウェアとの任意の組合せを具備する。セレクタ論理９０４は周波数領域サブキャリアを受信して、処理のためのいずれかの部分のサブキャリアを選択するように動作する。例えば、セレクタ論理９０４は受信された遷移パイロット記号から任意の部分のパイロット観測値を選択する。セレクタ論理９０４の出力はデスクランブラ論理９０６に入力される。
【００８８】
デスクランブラ論理９０６はＣＰＵ、プロセッサ、ゲートアレイ、ハードウェア論理、バーチャルマシン、ソフトウェア、および／またはハードウェアとソフトウェアとの任意の組合せを具備する。デスクランブラ論理９０６はデスクランブリングキーおよび既知のパイロットシーケンスの１つまたは両方に基づいてセレクタ論理９０４から受信された選択サブキャリアをデスクランブルするように動作する。例えば、デスクランブリングキーはネットワーク初期化および／または登録の間中受信装置に供給されることができ、そして既知のパイロットシーケンスは製造期間中受信装置のメモリに書き込まれることができる。１局面では、デスクランブリングキーは既知のパイロットシーケンス内に潜在的にあることができる。パイロットシーケンスは受信器で蓄積されることができるか、あるいはそれは既知のスクランブラハードウェア論理およびデスクランブリングキーから始まる受信器でのスクラッチから発生されることができる。デスクランブラ論理９０６の出力は受信された遷移パイロット記号から得られた選択された周波数領域パイロット観測値を具備する。デスクランブラ９０６出力はその後ＩＦＦＴ論理９０８に入力される。
【００８９】
ＩＦＦＴ論理９０８はＣＰＵ、プロセッサ、ゲートアレイ、ハードウェア論理、バーチャルマシン、ソフトウェア、および／またはハードウェアとソフトウェアとの任意の組合せを具備する。ＩＦＦＴ論理９０８は時間領域内のタイミングチャネル推定値を決定するためにデスクランブラ９０６の出力の逆ＦＦＴ機能を実行するための任意の適当なアルゴリズムまたはテクニックを実行するように動作する。処理されたパイロット観測値の数に基づいて、タイミングチャネル推定値は装置が動作しているＯＦＤＭネットワークに関連するＦＦＴの持続時間まで延ばす長さを有する。１局面では、ＩＦＦＴ論理９０８は計算された瞬時チャネル推定値に基づいて平均チャネル推定値を維持する。ＩＦＦＴ論理９０８はその後瞬時チャネル推定値および平均チャネル推定値を時間同期装置８０４に出力する。
【００９０】
時間同期装置８０４はＣＰＵ、プロセッサ、ゲートアレイ、ハードウェア論理、バーチャルマシン、ソフトウェア、および／またはハードウェアとソフトウェアとの任意の組合せを具備する。時間同期装置８０４はチャネル推定器論理８０６からの瞬時および平均タイミングチャネル推定値を受信し、そして時間追跡同期のためのタイミングオフセットを決定するために時間同期アルゴリズムを実行するように動作する。
【００９１】
［時間同期アルゴリズム］
図１０はタイミング同期システムの局面における使用のための時間同期装置８０４の動作を図示するグラフ１０００を示す。例えば、時間同期装置８０４はＦＡＰおよびＬＡＰを検出するために瞬時および平均タイミングチャネル推定値を処理するように動作する。１局面では、ＦＡＰおよびＬＡＰは特定の記号の最初および最後の到着パスを表す。例えば、記号は複数の送信器から送信されることができ、および／または拡散および／またはマルチパス伝搬効果を経験できる。ＦＡＰおよびＬＡＰは受信記号エネルギーの始まりおよび受信記号エネルギーの終わりを表し、そしてタイミング追跡同期用に使用されるタイミングオフセットを決定するために使用される。
【００９２】
１局面では、タイミング同期システムは時間追跡同期用のタイミングオフセットを決定するために以下の機能の１つまたはそれ以上を実行するように動作する。
【００９３】
１．    １つまたはそれ以上の遷移パイロット記号を受信する。
【００９４】
２．    瞬時時間領域チャネル推定値（例えば、瞬時チャネル推定値を計算するために使用される遷移パイロット記号の２０００ちょうどのサブキャリアからのパイロット観測値）を計算する。
【００９５】
３．    瞬時チャネル推定値を使用している平均チャネル推定値を維持する。
【００９６】
４．    瞬時チャネル推定値に基づいて瞬時ＦＡＰinstおよびＬＡＰinstを計算する。
【００９７】
５．    平均チャネル推定値に基づいて平均ＦＡＰavgおよびＬＡＰavgを計算する。
【００９８】
６．    タイミングオフセットを決定する。
【００９９】
１局面では、時間同期装置８０４はＦＡＰinstおよびＬＡＰinstパラメータを決定するために瞬時チャネル推定値を処理するように動作する。時間同期装置８０４はまたＦＡＰavgおよびＬＡＰavgパラメータを決定するために平均チャネル推定値も処理する。
【０１００】
以下のタイミングアルゴリズムは瞬時チャネル推定値および平均チャネル推定値の両方を処理するために時間同期装置８０４によって実行される。冗長を避けるために、アルゴリズムはＦＡＰinstおよびＬＡＰinstパラメータを決定するために瞬時チャネル推定値を処理することを参照して下に記述される。平均チャネル推定値はＦＡＰavgおよびＬＡＰavgパラメータを決定するために同じ方法で処理されることができる。
【０１０１】
ここで図１０を参照して、第１のグラフはチャネル推定器８０６によって発生された瞬時タイミングチャネル推定値１００２を図示する。タイミングチャネル推定値１００２は長さパラメータＮcを有し、それは受信遷移パイロット記号から選択されて処理されたパイロット観測値数から決定される。ウィンドウ１００４は長さＮc／２を有することが定義されるが、しかしながらより短いウィンドウが定義されてもよい。ウィンドウ１００４はタイミングチャネル推定値１００２じゅうを動かされ、そしてこのウィンドウ内のエネルギーはグラフ１００６内に図示される蓄積エネルギープロファイルを生成するために蓄積される。
【０１０２】
１局面では、時間同期装置８０４は始まり（ｂｅｇ）および終わり（ｅｎｄ）パラメータを決定するために蓄積エネルギープロファイルを処理するように動作する。時間同期装置８０４は蓄積エネルギープロファイル１００６から“ｂｅｇ”および“ｅｎｄ”パラメータを決定するために以下のアルゴリズムを実行するように動作する。
【０１０３】
１．    最大蓄積エネルギー（ｎmax）および最大エネルギー（Ｅmax）値の位置を見つける。
【０１０４】
２．    Ｅmaxに基づいて始まり（Ｅbeg）および終わり（Ｅend）エネルギー閾値を設定する。これらの閾値は同じか異なっていてもよい。
【０１０５】
３．    ｎmaxの位置から始めて、両方向におけるＮw位置まで調べる。
【０１０６】
４．    対応する閾値の最初の交差点で“ｂｅｇ”および“ｅｎｄ”位置を検出する。
【０１０７】
一度“ｂｅｇ”および“ｅｎｄ”位置が決定されると、瞬時ＦＡＰinstおよびＬＡＰinstパラメータが計算される。以下のアルゴリズムはＦＡＰinstおよびＬＡＰinstパラメータを決定するために使用される。
【０１０８】
１．      もし
ｅｎｄがポジティブ領域（１００８）またはネガティブ＋領域（１０１２）内にあれば；
その時；
ＦＡＰinst＝ｅｎｄ；
ＬＡＰinst＝（ｂｅｇ＋Ｎw）％Ｎc；
２．      もし
ｅｎｄがネガティブ領域−（１０１０）内にあれば
その時
ＦＡＰinst＝ｅｎｄ−Ｎc
ＬＡＰinst＝（ｂｅｇ＋Ｎw）％Ｎc
１局面では、一度ＦＡＰinst，ＬＡＰinst，ＦＡＰavgおよびＬＡＰavgが決定されると、それらは下記のものに従って最終ＦＡＰおよびＬＡＰ値を生成するために結合される。
【０１０９】
ＦＡＰ＝ｍｉｎ（ＦＡＰinst，ＦＡＰavg）
ＬＡＰ＝ｍａｘ（ＬＡＰinst，ＬＡＰavg）
タイミングオフセットはその後ＦＡＰおよびＬＡＰ値から決定される。１局面では、タイミング同期装置８０４はＤｍｉｄおよびＢａｃｋｏｆｆと呼ばれる２つのパラメータに関する値を蓄積した。この蓄積されたＤｍｉｄパラメータはこのチャネルのｍｉｄポイントについての望ましい位置を表す。Ｂａｃｋｏｆｆパラメータはこのチャネルへの最大の適用オフセットについての境界を示す。
【０１１０】
１局面では、タイミング同期装置８０４は下記の式に従ってＤmidに関連した値を計算する。
【０１１１】
Ｄmid＝（ＦＡＰ＋ＬＡＰ）／２
この望ましいポイントＤｍｉｄに達するためにシフトされるべきチャネル量を表す、タイミングオフセットは、下記の式に従って計算される。
【０１１２】
Ｏｆｆｓｅｔ＝Ｄmid−Ｄｍｉｄ
タイミングオフセットは受信伝送フレームの記号が正確に復号されることができるように時間同期を供給するために受信器によって適用される。しかしながら、もしオフセット値が大き過ぎればチャネルを調整することは望ましくないかもしれない。この事態では、Ｂａｃｋｏｆｆパラメータはオフセット調整の限界を設定するために使用される。１局面では、もしオフセットが選択値を超えるならば、Ｂａｃｋｏｆｆパラメータは下記の式に従ってオフセットを計算するために使用される。
【０１１３】
Ｏｆｆｓｅｔ＝ＦＡＰ−Ｂａｃｋｏｆｆ
したがって、時間同期装置８０４は受信装置で記号境界を決定するために適用されるタイミングオフセットを決定するために遷移パイロット記号から得られたチャネル推定値を処理するように動作する。
【０１１４】
図１１はタイミング同期システムの局面における使用のために遷移パイロット記号を処理するための方法１１００を示す。例えば、１局面では、受信器８００は下記されたように方法１１００を実行するように構成される。
【０１１５】
ブロック１１０２で、送信波形が受信される。例えば、受信器８１０はネットワーク通信からの送信波形を受信するように動作する。
【０１１６】
ブロック１１０４で、伝送フレームが検出される。例えば、１局面では、受信器８１０は受信された送信波形内の伝送フレームを検出するように動作する。伝送フレームは境界によって分離されたローカルおよびワイドエリアデータ区画を有する４フレームを具備する。伝送フレームはまた境界で配置された遷移パイロット記号も具備する。例えば、受信器８１０は伝送フレームを検出し、それは図３内に図示されたような伝送フレーム３００として組み立てられることができる。
【０１１７】
ブロック１１０６で、境界位置は伝送フレーム内のワイドエリア区画およびローカルエリア区画の間に決定される。例えば、１局面では、検出された境界は図４内に図示された境界４０２であり、そして処理論理８０２によって検出される。
【０１１８】
ブロック１１０８で、遷移パイロット記号が得られる。１局面では、タイミングチャネル推定器８０６は時間同期のためにワイドエリアおよびローカルエリアデータ区画の間の境界で配置された時間領域遷移パイロット記号を得る。１局面では、データチャネル推定器８０８はデータ復調のために遷移パイロット記号を得る。
【０１１９】
データ復調用の遷移パイロット記号を処理するために、この方法はブロック１１１０に進む。タイミング同期用の遷移パイロット記号を処理するためにこの方法はブロック１１１４に進む。データ復調および／またはタイミング同期のために遷移パイロット記号を処理することがタイミングシステムの実施の形態によって並列のまたは連続的な様式のいずれかで実施されうることは注目されねばならない。
【０１２０】
ブロック１１１０で、チャネル推定値はワイドまたはローカルデータ区画内の最初のまたは最後のデータ記号を復調するための１つまたはそれ以上のデータ記号および１つまたはそれ以上のＴＰＳ記号内のＦＤＭパイロットから決定される。１局面では、データチャネル推定器８０８は連続データ記号からのＦＤＭパイロットを１つまたはそれ以上の遷移パイロット記号からのパイロットと結合する。例えば、ＦＤＭパイロットはチャネル推定値を生成するために図４を参照して記述されたように結合される。１局面では、式（Ｍ＝２ｋ＋１）は、チャネル推定値を生成するためにパイロット観測値を供給するのに使用されるべきデータ記号数および遷移パイロット記号数を記述する。
【０１２１】
ブロック１１１２で、データチャネル推定値はデータ復調のために供給される。１局面では、データチャネル推定器８０８はワイドまたはローカルデータ区画内の最初のまたは最後のデータ記号が復調されうるようにデータチャネル推定値をデータ復調器に出力する。
【０１２２】
ブロック１１１４で、チャネル推定値は遷移パイロット記号内のパイロット観測値から決定される。例えば、タイミングチャネル推定器８０６はデータ伝送のために使用されたＦＦＴの持続時間まで延ばす長さを有するチャネル推定値を決定するように動作する。したがって、チャネル推定値はタイミングのあいまい性が除去されるほど十分に長い。例えば、チャネル推定値は図１０内に示されたチャネル推定値１００２によって表される。
【０１２３】
ブロック１１１６で、ＦＡＰおよびＬＡＰが決定される。１局面では、タイミング同期装置はタイミングチャネル推定器８０６からチャネル推定値を受信して、上述されたタイミングアルゴリズムによって決定された“ｂｅｇ”および“ｅｎｄ”位置に基づいて瞬時および平均ＦＡＰおよびＬＡＰ値を決定するように動作する。上述されたような最終ＦＡＰおよびＬＡＰ値を決定するために瞬時ＦＡＰおよびＬＡＰは平均ＦＡＰおよびＬＡＰと結合される。
【０１２４】
ブロック１１１８で、タイミングオフセットが決定される。１局面では、タイミング同期装置はＦＡＰおよびＬＡＰに基づいてタイミングオフセットを決定するように動作する。例えば、タイミングオフセットはＤｍｉｄと呼ばれる望ましいポイントに達するためにシフトされるべきであるチャネル遅延拡散量（ＦＡＰ＋ＬＡＰ）／２を表す。もしチャネルが望ましいポイントを越えてシフトされるようであれば、タイミングオフセットはＦＡＰからＢａｃｋｏｆｆパラメータを引き去ることによって決定される。これはタイミングオフセットによって供給されたシフト量に限界を設定する。タイミングオフセットはその後記号境界を決定するために適用される。
【０１２５】
したがって、方法１１００は受信装置でのデータ復調およびタイミング同期のために遷移パイロット記号を処理するように動作する。方法１１００はまさに１つの実施の形態を表すに過ぎず、そして方法１１００の変更、追加、削除、結合または他の修正が諸局面の範囲内で可能であることは注目されねばならない。
【０１２６】
図１２はタイミング同期システム１２００の１局面を示す。タイミング同期システム１２００はデータ伝送のために使用されたＦＦＴの持続時間まで延ばす長さを有するチャネル推定値を供給するように構成される複数の変調されたサブキャリアを具備している少なくとも１つのＴＤＭパイロット記号を受信するための手段を具備する第１のモジュール１２０２を具備する。例えば、１局面では、このモジュール１２０２は受信器８１０を具備する。
【０１２７】
タイミング同期システム１２００はまた複数の変調されたサブキャリアから瞬時チャネル推定値を決定するための手段を具備する第２のモジュール１２０４を具備する。例えば、１局面では、このモジュール１２０４はタイミングチャネル推定器８０６を具備する。
【０１２８】
タイミング同期システム１２００はまた瞬時チャネル推定値に基づいてタイミングオフセットを計算するための手段を具備する第３のモジュール１２０６を具備する。例えば、１局面では、モジュール１２０６は時間同期装置８０４を具備する。
【０１２９】
１局面では、モジュール（１２０２〜１２０６）はこの中に記述されたようなタイミング同期システムの諸局面を提供するために１つまたはそれ以上のセットの符号を実行するように構成された１つまたはそれ以上のプロセッサを具備する。
【０１３０】
従ってこの中に開示された局面と関連して記述されたいろいろな実例となる論理、論理ブロック、モジュール、および回路は汎用プロセッサ、ディジタル信号プロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタ論理、ディスクリートハードウェアコンポーネント、あるいはこの中に記述された機能を実行するように設計されたそれの任意の組合せで実施または実行されることができる。汎用プロセッサはマイクロプロセッサであってもよいが、しかし、代案では、プロセッサは任意の従来のプロセッサ、コントローラ、マイクロコントローラ、またはステートマシンであってもよい。プロセッサはまた計算装置の組合せ、例えば、ＤＳＰとマイクロプロセッサ、複数のマイクロプロセッサ、ＤＳＰコアとともに１つまたはそれ以上のマイクロプロセッサの組合せ、あるいは任意の他のそのような構成として実施されることもできる。
【０１３１】
この中に開示された局面と関連して記述された方法またはアルゴリズムのステップはハードウェアで直接に、プロセッサによって実行されたソフトウェアモジュールで、あるいはこの２者の組合せで具体化されることができる。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、着脱可能形ディスク、ＣＤ−ＲＯＭ、あるいはこの分野で知られる任意の他形式の蓄積媒体内に存在することができる。実例の蓄積媒体は、プロセッサがこの蓄積媒体から情報を読み出し、そしてそれに情報を書き込むことができるように、プロセッサに連結される。代案では、蓄積媒体はプロセッサに統合されることができる。プロセッサおよび蓄積媒体は１ＡＳＩＣ内に存在してもよい。ＡＳＩＣはユーザ端末内に存在してもよい。代案では、プロセッサおよび蓄積媒体はユーザ端末内のディスクリートコンポーネントとして存在してもよい。
【０１３２】
開示された局面の説明はこの分野の任意の技術者が本発明を製作または使用することを可能とするように提供される。これらの局面へのいろいろな変更はこの分野の技術者にはたやすく明白であるだろうし、そしてこの中に定義された一般原理は他の局面に、例えば、インスタントメッセージングサービスまたは一般無線データ通信アプリケーション内に、この発明の精神または範囲から逸脱すること無しに、適用されることができる。したがって、本発明はこの中に示された局面に制限されるつもりはなく、しかしむしろこの中に開示された原理および新規な特徴と矛盾しない最も広い範囲が許容されるべきである。術語“典型的な”は“一例、事例、または実例として機能すること”を意味すべくこの中で独占的に使用されている。“典型的な”としてこの中に記述された任意の局面は必ずしも他の局面以上に好ましいとか有利であると解釈されるべきではない。
【０１３３】
よって、タイミング同期システムの諸局面がこの中に図示および記述された一方で、いろいろな変更がそれらの精神または本質的な特性からの逸脱無しに諸局面になされうることは認められるであろう。したがって、この中の開示および明細書は、限定はないが、この発明の範囲について実例となることを意味し、それは下記のクレーム内に述べられる。
【図１】
2010516117.tif 000003
【図２】
2010516117.tif 000004
【図３】
2010516117.tif 000005
【図４】
2010516117.tif 000006
【図５】
2010516117.tif 000007
【図６】
2010516117.tif 000008
【図７】
2010516117.tif 000009
【図８】
2010516117.tif 000010
【図９】
2010516117.tif 000011
【図１０】
2010516117.tif 000012
【図１１】
2010516117.tif 000013
【図１２】
2010516117.tif 000014
【国際調査報告】
2010516117.tif 000015
2010516117.tif 000016
2010516117.tif 000017
2010516117.tif 000018
2010516117.tif 000019